(57)【要約】【課題】ディスプレイパネルの駆動方法を提供する。【解決手段】少なくとも一つのサブフィールドＳＦで、ランプ型維持パルスを印加して維持放電を行うことを特徴とするディスプレイパネルの駆動方法。したがって、ランプ型維持パルスによって維持放電を行うことによって、維持パルス量子化による低階調表現力の低下を補償できる。【選択図】図１０
2005222020.tif 000002
【特許請求の範囲】
【請求項１】
少なくとも一つのサブフィールドでランプ型維持パルスを印加して維持放電を行うことを特徴とするディスプレイパネルの駆動方法。
【請求項２】
維持パルスの量子化による整数部分が０であるサブフィールドの維持区間に、前記ランプ型維持パルスを印加して維持放電を行うことを特徴とする請求項１に記載のディスプレイパネルの駆動方法。
【請求項３】
少なくとも一つのサブフィールドで前記ランプ型維持パルスを印加して、維持パルスの量子化による整数部分が０であるサブフィールドの量子化エラーの和に相応する維持放電を行うことを特徴とする請求項１に記載のディスプレイパネルの駆動方法。
【請求項４】
前記ランプ型維持パルスのランプ最高電圧(Ｖｓｅｔ）が可変することを特徴とする請求項１に記載のディスプレイパネルの駆動方法。
【請求項５】
前記ランプ型維持パルスのランプ上昇期間(Ｔｒａｍｐ）が可変することを特徴とする請求項１に記載のディスプレイパネルの駆動方法。
【請求項６】
サブフィールドに印加される維持パルスの数を量子化し、量子化された整数部分の維持パルスは矩形波の維持パルスに印加し、量子化エラー部分の維持パルスはランプ型維持パルスに印加して維持放電を行うことを特徴とするディスプレイパネルの駆動方法。
【請求項７】
前記ランプ型維持パルスのランプ最高電圧が可変することを特徴とする請求項６に記載のディスプレイパネルの駆動方法。
【請求項８】
前記ランプ型維持パルスのランプ上昇期間が可変することを特徴とする請求項６に記載のディスプレイパネルの駆動方法。
【請求項９】
請求項１ないし８のうち何れか一項に記載の方法をコンピュータで実行させるためのプログラムを記録したコンピュータ可読記録媒体。
【発明の詳細な説明】
【技術分野】
【０００１】
本発明は、プラズマディスプレイパネル(以下、ＰＤＰという。)のように表示セルを形成する電極構造に維持パルスを印加することによって、画面を表示するディスプレイパネルの駆動方法に関する。
【背景技術】
【０００２】
図１は、一般的な３電極面放電方式のＰＤＰの構造を示す図面である。図１を参照すれば、一般的な面放電ＰＤＰ１の前面及び背面ガラス基板１００、１０６の間には、アドレス電極ラインＡ１，Ａ２，・・・，Ａｍ、誘電層１０２、１１０、Ｙ電極ラインＹ１，・・・，Ｙｎ、Ｘ電極ラインＸ１，・・・，Ｘｎ、蛍光層１１２、隔壁１１４、及び保護層として一酸化マグネシウム(ＭｇＯ)層１０４が設けられている。
【０００３】
アドレス電極ラインＡ１，Ａ２，・・・，Ａｍは背面ガラス基板１０６の前側に一定のパターンに形成される。下方の誘電層１１０はアドレス電極ラインＡ１，Ａ２，・・・，Ａｍの前側に塗布される。下方誘電層１１０の前側には隔壁１１４がアドレス電極ラインＡ１，Ａ２，・・・，Ａｍと平行した方向に形成される。この隔壁１１４は各ディスプレイセルの放電領域を区画し、各ディスプレイセル間の光学的干渉を防止する機能を行う。蛍光層１１２は隔壁１１４の間で形成される。
【０００４】
Ｘ電極ラインＸ１，・・・，Ｘｎ及びＹ電極ラインＹ１，・・・，Ｙｎはアドレス電極ラインＡ１，Ａ２，・・・，Ａｍと直交するように前方のガラス基板１００の背面に一定のパターンに形成される。各交差点は相応するディスプレイセルを設定する。各Ｘ電極ラインＸ１，・・・，Ｘｎと各Ｙ電極ラインＹ１，・・・，ＹｎとはＩＴＯ(Ｉｎｄｉｕｍ  Ｔｉｎ  Ｏｘｉｄｅ)などの透明な導電性材質の透明電極ラインＸｎａ、Ｙｎａと伝導度を高めるための金属電極ラインＸｎｂ、Ｙｎｂが結合されて形成される。前方の誘電層１０２はＸ電極ラインＸ１，・・・，Ｘｎ及びＹ電極ラインＹ１，・・・，Ｙｎの後方に全面塗布されて形成される。強い電界からパネル１を保護するための保護層１０４、例えば、ＭｇＯ層は前方の誘電層１０２の後方に全面塗布されて形成される。放電空間１０８にはプラズマ形成用ガスが密封される。
【０００５】
このようなＰＤＰに一般的に適用される駆動方式は、初期化、アドレス、及びディスプレイ維持段階が単位サブフィールドで順次に行われる方式である。初期化段階では駆動されるディスプレイセルの電荷状態が均一になる。アドレス段階では、選択されるディスプレイセルの電荷状態と選択されないディスプレイセルの電荷状態が設定される。ディスプレイ維持段階では、選択されるディスプレイセルでディスプレイ放電が行われる。この時、ディスプレイ放電を行うディスプレイセルのプラズマ形成用ガスからプラズマが形成され、このプラズマからの紫外線放射によって前記ディスプレイセルの蛍光層１１２が励起されて光が発生する。
【０００６】
図２は、図１に示すＰＤＰの一般的な駆動装置を示す。図面を参照すれば、ＰＤＰ１の一般的な駆動装置は映像処理部２００、論理制御部２０２、アドレス駆動部２０６、Ｘ駆動部２０８、及びＹ駆動部２０４を含む。映像処理部２００は、外部アナログ映像信号をデジタル信号に変換して内部映像信号、例えば、それぞれ８ビットの赤色(Ｒ)、緑色(Ｇ)、及び青色(Ｂ)映像データ、クロック信号、垂直及び水平同期信号を発生させる。制御部２０２は、映像処理部２００からの内部映像信号によって駆動制御信号ＳＡ、ＳＹ、ＳＸを発生させる。アドレス駆動部２０６は、制御部２０２からの駆動制御信号ＳＡ、ＳＹ、ＳＸのうちアドレス信号ＳＡを処理して表示データ信号を発生させ、発生した表示データ信号をアドレス電極ラインに印加する。Ｘ駆動部２０８は、制御部２０２からの駆動制御信号ＳＡ、ＳＹ、ＳＸのうちＸ駆動制御信号ＳＸを処理してＸ電極ラインに印加する。Ｙ駆動部２０４は制御部２０２からの駆動制御信号ＳＡ、ＳＹ、ＳＸのうちＹ駆動制御信号ＳＹを処理してＹ電極ラインに印加する。
【０００７】
前記のような構造のＰＤＰ１の駆動方法として主に使われるアドレス−ディスプレイ分離駆動方法が米国特許第５，５４１，６１８号公報に開示されている。
【０００８】
図３は、図１に示すＰＤＰのＹ電極ラインに対する一般的なアドレス−ディスプレイ分離駆動方法を示す。図面を参照すれば、単位フレームは時分割階調表示を実現するために所定数、例えば８個のサブフィールドＳＦ１，・・・，ＳＦ８に分割されうる。また、各サブフィールドＳＦ１，・・・，ＳＦ８はリセット区間(図示せず)と、アドレス区間Ａ１，・・・，Ａ８及び、維持放電区間Ｓ１，・・・，Ｓ８に分割される。
【０００９】
各アドレス区間Ａ１，・・・，Ａ８では、アドレス電極ライン(図１のＡ１，Ａ２，・・・，Ａｍ)に表示データ信号が印加されると同時に各Ｙ電極ラインＹ１，・・・，Ｙｎに相応する走査パルスが順次に印加される。
【００１０】
各維持放電区間Ｓ１，・・・，Ｓ８では、Ｙ電極ラインＹ１，・・・，ＹｎとＸ電極ラインＸ１，・・・，Ｘｎとにディスプレイ放電用パルスが交互に印加され、アドレス区間Ａ１，・・・，Ａ８で壁電荷が形成された放電セルで表示放電を起こす。
【００１１】
ＰＤＰの輝度は、単位フレームで占める維持放電区間Ｓ１，・・・，Ｓ８内の維持放電パルスの数に比例する。１画像を形成する一つのフレームが、８個のサブフィールドと２５６階調で表現される場合に、各サブフィールドには順次に１、２、４、８、１６、３２、６４、１２８の割合で相異なる維持パルスの数が割り当てられる。もし、１３３階調の輝度を得るためには、サブフィールド１期間、サブフィールド３期間、及びサブフィールド８期間の間にセルをアドレスして維持放電すればよい。
【００１２】
各サブフィールドに割り当てられる維持放電の数は、ＡＰＣ(Ａｕｔｏｍａｔｉｃ  Ｐｏｗｅｒ  Ｃｏｎｔｒｏｌ)段階によるサブフィールドの加重値によって可変的に決められる。また、各サブフィールドに割り当てられる維持放電の数は、ガンマ特性やパネル特性を考慮して多様に変形可能である。例えば、サブフィールド４に割り当てられた階調度を８から６に下げ、サブフィールド６に割り当てられた階調度を３２から３４に高めることができる。また、一つのフレームを形成するサブフィールドの数も設計仕様によって多様に変形可能である。
【００１３】
図４は、図１に示されたパネルの駆動信号の一例を説明するためのタイミング図であって、ＡＣ型ＰＤＰのＡＤＳ(Ａｄｄｒｅｓｓ  ｄｉｓｐｌａｙ  ｓｅｐａｒａｔｅｄ)駆動方式において一つのサブフィールドＳＦ内にアドレス電極Ａ、共通電極Ｘ、及び走査電極Ｙ１〜Ｙｎに印加される駆動信号を示す。図４を参照すれば、一つのサブフィールドＳＦはリセット期間ＰＲ、アドレス期間ＰＡ、及び維持放電期間ＰＳを含む。
【００１４】
リセット期間ＰＲは、あらゆるグループの走査ラインに対してリセットパルスを印加し、強制的に書込み放電を行うことによって、全体セルの壁電荷状態を初期化する。アドレス期間ＰＡに入っていく前にリセット期間ＰＲが行われ、これは全画面にかけて行うので、かなり均一でありながら所望の分布の壁電荷配置が作られる。リセット期間ＰＲによって初期化されたセルは、セル内部の壁電荷条件が全て類似して形成される。リセット期間ＰＲの実行後にアドレス期間ＰＡが行われる。この時、アドレス期間ＰＡには共通電極Ｘにバイアス電圧Ｖｅが印加され、表示されるべきセル位置で走査電極Ｙ１〜Ｙｎとアドレス電極Ａ１〜Ａｍとを同時にターンオンさせることによって、表示セルを選択する。アドレス期間ＰＡの実行後に、共通電極Ｘおよび走査電極Ｙ１〜Ｙｎに維持パルスＶｓを交互に印加して維持放電期間ＰＳが行われる。維持放電期間ＰＳ中のアドレス電極Ａ１〜Ａｍにはローレベルの電圧ＶＧが印加される。
【００１５】
ＰＤＰにおける輝度は維持放電パルスの数によって調整される。一つのサブフィールドまたは一つのＴＶフィールドでの維持放電パルスの数が多ければ輝度が増加する。
【００１６】
もし、一つのフレームに総Ｎｍａｘ個の維持パルスを供給する場合、ｉ番目のサブフィールドに割り当てられる維持パルスの数Ｎｉは次の数１のように決められる。
【数１】
2005222020.tif 000003
【００１７】
ここで、Ｗiはi番目サブフィールドの比重であり、ΣＷiは一つのＴＶフィールドを構成しているサブフィールドの比重の総合（合計）で決まる。Ｎｉは整数でなければならないので演算結果Ｎｉｒｅａｌに対する切り上げ動作が行われる。この切り上げ動作を維持パルスの数の量子化または整数化過程といえる。
【００１８】
このような量子化過程を経て維持パルスの数が決定され、維持パルスの数によってサブフィールドの発光量が決定される。
【００１９】
ＰＤＰにおいては、パネル設計仕様による発光効率、駆動波形の形態、及び駆動電圧によって一つの維持パルスにより生成される光量が決定される。一般的には維持放電の発光量は１回の維持放電に約０.３〜０.８ｃｄ／ｍ２程度で知られている。
【００２０】
１回の維持放電の発光量が０.５ｃｄ／ｍ２であり、Ｎｍａｘ＝１０００と仮定すれば、２Ｎｍａｘ×０.５ｃｄ／ｍ２＝１０００ｃｄ／ｍ２の輝度が得られる。この場合、ＰＤＰの最小維持放電の発光量は１ｃｄ／ｍ２になり、この輝度より低い低階調を表示しようとする時にはディザリング技法などを用いる。
【００２１】
また、Ｎｍａｘが小さい場合、前記量子化過程によって低階調サブフィールドに割り当てられる維持パルスによって、あらゆるサブフィールドに割り当てられた階調比を実現できない場合が発生する。すなわち、低階調表現力の低下をもたらす。
【特許文献１】米国特許第５，５４１，６１８号公報
【発明の開示】
【発明が解決しようとする課題】
【００２２】
本発明が達成しようとする目的は、維持パルスの量子化による低階調表現力の低下を補償するためのディスプレイパネルの駆動方法を提供することである。
【課題を解決するための手段】
【００２３】
前記目的を達成するための本発明の一側面によるディスプレイパネルの駆動方法は、少なくとも一つのサブフィールドで、ランプ型維持パルスを印加して維持放電を行うことを特徴とする。前記ディスプレイパネルの駆動方法は、維持パルスの量子化による整数部分が０であるサブフィールドの維持区間に、前記ランプ型維持パルスを印加して維持放電が行える。また、前記ディスプレイパネルの駆動方法は、少なくとも一つのサブフィールドで前記ランプ型維持パルスを印加して、維持パルスの量子化による整数部分が０であるサブフィールドの量子化エラーの和に相応する維持放電が行える。ここで、前記ランプ型維持パルスのランプ最高電圧Ｖｓｅｔが可変できる。また前記ランプ型維持パルスのランプ上昇期間が可変できる。
【００２４】
前記目的を達成するための本発明の他の側面によるディスプレイパネルの駆動方法は、サブフィールドに印加される維持パルスの数を量子化し、量子化された整数部分の維持パルスは矩形波の維持パルスに印加し、量子化エラー部分の維持パルスはランプ型維持パルスに印加して維持放電を行うことを特徴とする。ここで前記ランプ型維持パルスのランプ最高電圧(Ｖｓｅｔ）が可変できる。また前記ランプ型維持パルスのランプ上昇期間(Ｔｒａｍｐ）が可変できる。
【発明の効果】
【００２５】
本発明のディスプレイパネルの駆動方法によれば、ランプ型維持パルスによって維持放電を行うことによって、維持パルス量子化による低階調表現力の低下を補償することができる。
【発明を実施するための最良の形態】
【００２６】
本発明の目的と利点は、添付した図面に基づいて本発明の望ましい実施の形態を説明することにより明確になる。
【００２７】
以下、本発明の望ましい実施の形態によるディスプレイパネルの駆動方法の構成及び動作を添付した図面を参照して詳細に説明する。
【００２８】
図５は、走査電極Ｙ及び共通電極Ｘに印加される維持パルスと発光量との関係を説明するための波形図である。一つのサブフィールドに印加される維持パルスはスキャン電極に１回共通電極に１回を基本とするＸＹ維持パルス対として供給されるのでＮ個の維持パルス対は２Ｎ個の維持放電を起こす。したがって、例えば１回の維持放電によって、０.５ｃｄ／ｍ２の輝度が発生すれば、維持放電の最小輝度分解能は２×０.５＝１ｃｄ／ｍ２となる。これは、低階調における輝度増加量は１ｃｄ／ｍ２以下になれないことを意味する。このようなＰＤＰの輝度分解能の限界を克服するために誤差拡散またはディザリング方法を通じて輝度分解能を高めるようになる。しかし、このようなディザリングなどの使用は原映像の空間解像度を低下させるため、画質の劣化及びディザリングノイズという副作用をもたらす。
【００２９】
ＰＤＰでは平均信号レベル(ＡＳＬ；Ａｖｅｒａｇｅ  ｓｉｇｎａｌ  ｌｅｖｅｌ)によって消費電力を制御する。ＰＤＰでは、例えば数１の総維持パルスの数Ｎｍａｘを可変することによって、消費電力を一定のレベル以下に制御する。すなわち、Ｎｍａｘ＝Ｎｍａｘ（ＡＳＬ）である関数である。
【００３０】
図６は、一般的なＰＤＰでの平均信号レベルによる電力制御動作の原理を示す駆動特性グラフである。図面では、便宜上４段階だけで電力制御動作の原理を示したが、実際には必要によって数多くの段階にＬＵＴ(Ｌｏｏｋ  ｕｐ  ｔａｂｌｅ)化して具現できる。
【００３１】
図面を参照すれば、平均信号レベルが最も低い０からＬ１までは、最も高い維持放電回数Ｎ４を適用する。平均信号レベルがＬ１より高くてＬ２以下である範囲では維持放電回数Ｎ３を適用する。平均信号レベルがＬ２より高くてＬ３以下である範囲では維持放電回数Ｎ２を適用する。そして、平均信号レベルがＬ３より高ければ最も低い維持放電回数Ｎ１を適用する。
【００３２】
図６の動作の簡略なＬＵＴを次の表１に例示する。  
【表１】
2005222020.tif 000004
【００３３】
例えば、完全ホワイトパターンのように平均信号レベルが非常に大きい場合、Ｎｍａｘ＜＜ΣＷiとなり、したがって比重が小さいサブフィールドに割り当てられる維持パルスが１より小さい場合が発生する。これは低階調表現力の低下をもたらす。
【００３４】
これは維持放電の非線形性、すなわち維持放電の発光量は維持パルスの数の整数倍としてのみ定義される特性に起因する。これは矩形波維持パルスを使用するためである。
【００３５】
表１を参照してこれを説明すれば、Ｎｍａｘ＝６４である場合、第１サブフィールドには維持パルスが割り当てられない。また、Ｎｍａｘ＝３２である場合、第１サブフィールド及び第２サブフィールドには維持パルスが割り当てられない。
【００３６】
図７（Ａ）は、矩形波維持パルスの形態及び発光量を説明するための波形図である。一般的に維持パルスは非常に短い時間の間に維持電圧変化を起こす。すなわち、矩形波に近い維持パルスによって維持放電が起こるので、発光量の線形的変化が引き起こされないと知られている。したがって、このような矩形波維持パルスによれば、各サブフィールドに割り当てられた維持パルスの数の比例によってのみ階調が表現される。
【００３７】
特に、平均信号レベルが非常に高い場合には、数１による量子化過程で、低階調サブフィールドに割り当てられた維持パルスＮｉが１より小さい値になりうる。この場合、図７（Ａ）の矩形波維持パルスによれば、当該サブフィールドが機能を失う場合も発生する。
【００３８】
本発明は、このような量子化エラー部分を表現するために、パルス幅に線形的に発光する維持パルスを提案する。
【００３９】
図７（Ｂ）は、本発明に係るランプ型維持パルスの形態及び発光量を説明するための波形図である。図７（Ｂ）のランプ型維持パルスによれば弱放電が誘導される。この時、図面において、Ｖｓｅｔが高いほどまたはＴｒが長いほど発光量が増加する特性を示す。したがって、図７（Ｂ）に示された本発明のランプ型維持パルスによれば、数４に表現された量子化エラー部分の階調をパネル上に表示することができる。
【００４０】
本発明に係るランプ型維持パルスを利用して維持放電を行うための維持パルスの量子化式を次の数２ないし数４に提示する。  
【数２】
2005222020.tif 000005
【数３】
2005222020.tif 000006
【数４】
2005222020.tif 000007
【００４１】
ここで、[Ｎｉ]はＮｉの量子化された値であって、例えばＮｉ＝３.４である場合[Ｎｉ]＝３である。したがって、この場合に量子化エラーα＝０.４であり、量子化エラー部分は図７（Ａ）の矩形波維持放電のパルスによって表現することができない。
【００４２】
量子化エラー０<α<１を表現するための方法を、図８（Ａ）ないし図８（Ｃ）を参照して次の通り説明する。図８（Ａ）ないし図８（Ｃ）は、本発明の望ましい一実施の形態によるランプ型維持パルスを説明するための波形図である。図８（Ａ）ないし図８（Ｃ）は、同じランプ上昇傾きを維持する時、ランプ上昇時間がｔｒ１→ｔｒ２→ｔｒ３の順に長くなることによって、発光強度がＩ１→Ｉ２→Ｉ３の順に大きくなることを示している。図面に示されてはいないが、ランプ上昇時間を固定し、ランプ最高電圧Ｖｓｅｔを調整することによっても発光強度を調整することができる。
【００４３】
図９は、図８（Ａ）ないし図８（Ｃ）のランプ上昇時間ｔｒと発光強度の関係を、概略的な比例関係で示したグラフである。発光が発生するカットオフ時間ｔｃ以上で、ランプ上昇傾きを維持しつつランプ上昇時間がｔｒ１→ｔｒ２→ｔｒ３の順に長くなることによって、発光強度が Ｉ１→Ｉ２→Ｉ３の順に大きくなることが分かる。
【００４４】
図１０は、本発明のランプ型維持パルスが適用されたサブフィールドの一実施の形態を示す波形図である。１ＴＶフレームを構成するサブフィールドのうち少なくとも一つのサブフィールドで、図１０のランプ型維持パルスを印加して維持放電が行える。図１０のサブフィールドは、例えば低階調表現のためのサブフィールドに割り当てられる。一例として数３で維持パルスの量子化による整数部分[Ｎｉ]が０であるサブフィールドの維持区間に、ランプ型維持パルスを印加して維持放電が行える。
【００４５】
維持パルスの量子化による整数部分が０であるサブフィールドの量子化エラーの和を補償するために、別の補償用サブフィールドとして図１０のサブフィールドが適用されうる。根本的に階調の表現は一つのフレーム内で各サブフィールドに割り当てられた階調の和によって表現される。したがって、各サブフィールドの量子化エラーの和も一度に補償できるように別途の補償用サブフィールドを、例えば最後のサブフィールドをおいて表現することもある。これを数式で表示すれば、次の数５ないし数７のようである。
【数５】
2005222020.tif 000008
【数６】
2005222020.tif 000009
【数７】
2005222020.tif 000010
【００４６】
数７に表現されたように各サブフィールドの量子化エラーの和(Σαi）を、図１０に示されたようなランプ型維持パルスを適用した別途の補償用サブフィールドで一度に補償することもできる。
【００４７】
本発明に望ましい他の実施の形態によるディスプレイパネルの駆動方法を数６を参照して次の通り説明する。
【００４８】
すなわち、本発明に係るディスプレイパネルの駆動方法は、サブフィールドに印加される維持パルスの数を量子化し、量子化された整数部分の維持パルスは矩形波の維持パルスに印加し、量子化エラー部分の維持パルスはランプ型維持パルスに印加して維持放電が行える。数６を参照すれば、一つのサブフィールド内で維持パルスＮｉの整数部分[Ｎｉ]は矩形波維持パルスによって維持放電し、エラー部分αiはランプ型維持パルスによって維持放電が行える。
【００４９】
前述した本発明に係るディスプレイパネルの駆動方法は、またコンピュータ可読記録媒体にコンピュータ可読コードとして具現することが可能である。コンピュータ可読記録媒体はコンピュータシステムによって読み取れるプログラムやデータが保存される全種の記録装置を含む。コンピュータが読み取れる記録媒体の例としては、ＲＯＭ、ＲＡＭ、ＣＤ−ＲＯＭ、磁気テープ、ハードディスク、フロッピー(登録商標)ディスク、フラッシュメモリ、光データ記憶装置などがある。ここで、記録媒体に保存されるプログラムとは、特定の結果を得るためにコンピュータなどの情報処理能力を有する装置内で直接または間接的に使われる一連の指示命令で表現されたものをいう。したがって、コンピュータという用語も実際に使われる名称があるにもかかわらずメモリ、入出力装置、演算装置を具備してプログラムによって特定機能を行うための情報処理能力を有したあらゆる装置を総括する意味で使われる。パネルを駆動する装置の場合にもその用途がパネル駆動という特定分野に限定されただけであり、その実体においては一種のコンピュータと言える。
【００５０】
特に、本発明に係るパネル駆動方法は、コンピュータ上でスケマティックまたは超高速集積回路ハードウェア技術言語(ＶＨＤＬ)などにより作成され、コンピュータに連結されてプログラム可能な集積回路、例えばＦＰＧＡ(Ｆｉｅｌｄ  Ｐｒｏｇｒａｍｍａｂｌｅ  Ｇａｔｅ  Ａｒｒａｙ)により具現されうる。前記記録媒体は、このようなプログラム可能な集積回路を含む。
【００５１】
以上、図面と明細書で最適実施の形態が開示された。ここで特定の用語が使われたが、これはただ本発明を説明するための目的として使われたものであり、意味限定や特許請求の範囲に記載された本発明の範囲を制限するために使われたものではない。したがって、本技術分野の当業者であれば、これより多様な変形及び均等な他の実施の形態が可能である点が理解できる。したがって、本発明の真の技術的保護範囲は特許請求の範囲の技術的思想により決まるべきである。
【００５２】
本発明は以上で説明されて図面に表現された例示に限定されるものではない。当業者であれば、特許請求の範囲に記載された本発明の範囲及び目的内で置換、消去、併合等によって前述した実施の形態に対して多くの変形が可能である。
【産業上の利用可能性】
【００５３】
プラズマディスプレイ装置のように維持放電回数によって時分割階調を実現するディスプレイ装置において、低階調表現力を効率的に高めることができる。
【図面の簡単な説明】
【００５４】
【図１】一般的な３電極面放電方式のＰＤＰの構造を示す図面である。
【図２】図１に示されたＰＤＰの一般的な駆動装置を示す。
【図３】図１に示すＰＤＰのＹ電極ラインに対する一般的なアドレス−ディスプレイ分離駆動方法を示す。
【図４】図１に示されたパネルの駆動信号の一例を説明するためのタイミング図である。
【図５】走査電極Ｙ及び共通電極Ｘに印加される維持パルスと発光量との関係を説明するための波形図である。
【図６】一般的なＰＤＰにおける平均信号レベルによる電力制御動作の原理を示す駆動特性グラフである。
【図７】（Ａ）は、矩形波維持パルスの形態及び発光量を説明するための波形図であり、（Ｂ）は、本発明に係るランプ型維持パルスの形態及び発光量を説明するための波形図である。
【図８】（Ａ）ないし（Ｃ）は、本発明の望ましい一実施の形態によるランプ型維持パルスを説明するための波形図である。
【図９】図８（Ａ）ないし図８（Ｃ）のランプ上昇時間ｔｒと発光強度との関係を、概略的な比例関係で示したグラフである。
【図１０】本発明のランプ型維持パルスが適用されたサブフィールドの一実施の形態を示す波形図である。
【符号の説明】
【００５５】
Ｙ１〜Ｙｎ    走査電極
Ａ１〜Ａｍ    アドレス電極
Ｖｓｅｔ  ランプ最高電圧
ｔｒ  ランプ上昇時間
ＰＲ  リセット期間
ＰＡ  アドレス期間
ＰＳ  維持放電期間
【図１】
2005222020.tif 000011
【図２】
2005222020.tif 000012
【図３】
2005222020.tif 000013
【図４】
2005222020.tif 000014
【図５】
2005222020.tif 000015
【図６】
2005222020.tif 000016
【図７】
2005222020.tif 000017
【図８】
2005222020.tif 000018
【図９】
2005222020.tif 000019
【図１０】
2005222020.tif 000020